(57)【要約】【課題】物（書籍など）と電子データ（電子書籍など）との両方の形態を効率的に共存させることにより、ユーザの利便性などを実現することができる技術を提供する。【解決手段】本書籍流通システムは、書籍Ａ１の販売の注文状態を管理するサーバ、及び電子書籍Ａ２の提供・管理を行うサーバを含むＥＣサイトと、書籍Ａ１をユーザに配送する配送業者システムと、電子書籍Ａ２を利用する機能を備えるユーザの端末２とを有する。本システムは、例えば、ユーザが書籍Ａ１を発注してから配送未完了の期間Ｔ１では、ユーザの端末で書籍Ａ１に対応する内容の電子書籍Ａ２が利用可能（有効）となるように制御し、ユーザが書籍Ａ１を配送完了により受け取った後の期間Ｔ２では、ユーザの端末で電子書籍Ａ２が利用不可（無効）となるように制御する。【選択図】図１
2012150540.tif 000002
【特許請求の範囲】
【請求項１】
書籍、または映像や音楽のデータが記録された媒体、を含む物的な商品と、前記物的な商品と対応する同様の内容を持つ、電子書籍、または映像や音楽のデータ、を含む電子的な商品と、の２種類の形態の商品の流通に関する情報処理を行う商品流通システムであって、
ネットワークに接続される、
前記物的な商品をユーザに対して販売しその注文状態を管理する処理を行う第１の処理部を含む第１のサーバと、
前記電子的な商品をユーザに対して販売または提供するための管理の処理を行う第２の処理部を含む第２のサーバと、
前記物的な商品をユーザに対して配送または受け渡しするための管理の処理を行う第３の処理部を含む第３のサーバと、
前記電子的な商品を利用する機能を備えるユーザの端末と、を有し、
（１）前記ユーザにより前記第１のサーバに対して前記物的な第１の商品の発注が行われる処理と、
（２）前記第１の商品の発注を受けて、前記第１のサーバから前記第３のサーバへ、前記第１の商品の配送の指示が行われ、かつ、前記第１のサーバから前記第２のサーバへ、前記第１の商品に対応する前記電子的な第２の商品の注文の指示が行われる処理と、
（３）前記第２の商品の注文の指示を受けて、前記第２のサーバから前記ユーザの端末に対して、当該ユーザによる当該第２の商品の利用が可能になる有効状態に制御する処理と、
（４）前記第１の商品の配送の指示を受けて、前記第３のサーバでの管理に基づき、配送業者により前記ユーザへ前記第１の商品が配送され、当該配送完了に伴う通知が前記第１のサーバへ送信される処理と、
（５ａ）前記第１の商品の配送完了の通知を受けて、前記第１のサーバから前記第２のサーバへ連携し、前記第２のサーバから前記ユーザの端末に対して、当該ユーザによる当該第２の商品の利用が不可能となる無効状態に制御する処理と、を有し、
上記構成により、前記ユーザが前記第１の商品を受け取るまでの第１の期間では、前記ユーザの端末で前記第２の商品の利用が可能となり、前記ユーザが前記第１の商品を受け取った後の第２の期間では、前記ユーザの端末で前記第２の商品の利用が不可能となること、を特徴とする商品流通システム。
【請求項２】
書籍、または映像や音楽のデータが記録された媒体、を含む物的な商品と、前記物的な商品と対応する同様の内容を持つ、電子書籍、または映像や音楽のデータ、を含む電子的な商品と、の２種類の形態の商品の流通に関する情報処理を行う商品流通システムであって、
ネットワークに接続される、
前記物的な商品をユーザに対して販売しその注文状態を管理する処理を行う第１の処理部を含む第１のサーバと、
前記電子的な商品をユーザに対して販売または提供するための管理の処理を行う第２の処理部を含む第２のサーバと、
前記物的な商品をユーザに対して配送または受け渡しするための管理の処理を行う第３の処理部を含む第３のサーバと、
前記電子的な商品を利用する機能を備えるユーザの端末と、を有し、
（１）前記ユーザにより前記第１のサーバに対して前記物的な第１の商品の発注が行われる処理と、
（２）前記第１の商品の発注を受けて、前記第１のサーバから前記第３のサーバへ、前記第１の商品の配送の指示が行われ、かつ、前記第１のサーバから前記第２のサーバへ、前記第１の商品に対応する前記電子的な第２の商品の注文の指示が行われる処理と、
（３）前記第２の商品の注文の指示を受けて、前記第２のサーバから前記ユーザの端末に対して、当該ユーザによる当該第２の商品の利用が可能になる有効状態に制御する処理と、
（４）前記第１の商品の配送の指示を受けて、前記第３のサーバでの管理に基づき、配送業者により前記ユーザへ前記第１の商品が配送され、当該配送完了に伴う通知が前記第１のサーバへ送信される処理と、
（５ｂ）前記第１の商品の配送完了の通知を受けて、前記第１のサーバから前記第２のサーバへ連携し、前記第２のサーバから前記ユーザの端末に対して、当該ユーザによる当該第２の商品の利用が可能となる有効状態に制御する処理を有し、
上記構成により、前記ユーザが前記第１の商品を受け取るまでの第１の期間、及び、前記ユーザが前記第１の商品を受け取った後の所定期限内の第２の期間では、前記ユーザの端末で前記第２の商品の利用が可能となること、を特徴とする商品流通システム。
【請求項３】
請求項２記載の商品流通システムにおいて、
前記ユーザの端末は、前記第１の商品に具備されるタグの情報を読み取るタグリーダ機能を有し、
前記（５ｂ）の処理に係わり、前記第２の期間における、前記ユーザによる前記端末での前記第２の商品の利用の際に、当該第２の商品に対応する前記第１の商品を当該ユーザが所有しているかどうかを確認する処理を、前記ユーザの端末のタグリーダ機能により前記第１の商品に具備されるタグの情報を読み取って確認することにより行い、当該第１の商品の所有を確認できた場合は当該第２の商品の利用を可能にすること、を特徴とする商品流通システム。
【請求項４】
請求項１記載の商品流通システムにおいて、
前記（１）〜（５ａ）の処理に続いて、
（６）前記第２の期間の後、前記ユーザが前記第１の商品を所定の業者に対して廃棄した時点で、当該第１の商品に具備するタグの情報を当該業者のシステムに備えるタグリーダ機能によって読み取って所定の端末またはサーバで情報処理することにより、当該ユーザが当該第１の商品を廃棄した事を確認する処理と、
（７）前記業者の端末またはサーバから前記第１のサーバまたは第２のサーバに対して前記廃棄の証明情報を送信することにより、前記ユーザが前記第１の商品の非所有状態となった事を確認する処理と、
（８）前記確認を受けて、前記第２のサーバから前記ユーザの端末に対して、当該ユーザによる当該第２の商品の利用が可能となる有効状態に制御する処理と、を有し、
上記構成により、前記ユーザが前記第１の商品を廃棄した後の第３の期間では、前記ユーザの端末で前記第２の商品の利用が可能となること、を特徴とする商品流通システム。
【請求項５】
請求項１記載の商品流通システムにおいて、
前記ユーザが前記第２の商品を利用可能となる有効状態に制御する処理において、
前記第２のサーバから前記ユーザの端末へ、前記第２の商品のデータをＤＲＭ付きでダウンロード配信して当該ユーザの端末に当該第２の商品のデータを格納し、
前記ユーザによる前記第２の商品の利用の際は、前記ユーザの端末と前記第２のサーバとの間で必要に応じて通信し、前記第２の商品の有効性を表すステータス情報を確認する処理を行い、有効の場合は、前記ユーザの端末の備える機能において前記第２の商品のデータを利用可能に処理すること、を特徴とする商品流通システム。
【請求項６】
請求項１記載の商品流通システムにおいて、
前記第１、第２の商品の著者及び出版社を含む関係者間における、前記第１、第２の商品の販売または提供に関する予めの契約に基づき、前記第１のサーバまたは第２のサーバに対して、前記第２の商品を利用可能な有効状態に制御する期間及び条件を設定する処理が行われること、を特徴とする商品流通システム。
【発明の詳細な説明】
【技術分野】
【０００１】
本発明は、書籍（本）などの商品の流通システムに関する。特に、書籍・雑誌などの印刷媒体による文字や画像の内容を含む商品や、その他音楽・映像などの内容を含むＣＤ・ＤＶＤ等の媒体による商品などに関する、出版・販売・配送・利用などに係わる情報処理システムにおいて、物と電子データとの両方の形態の商品・コンテンツを扱うための技術に関する。
【背景技術】
【０００２】
書籍などの商品の流通システムに関して、インターネット上の電子商取引（ＥＣ）サイトによる書籍などの商品の販売と、配送業者による書籍などの商品の配送との組み合わせがよく利用されている。例えば、ユーザは、端末からＥＣサイトにアクセスして書籍を購入（注文）し、配送業者により書籍がユーザの自宅などへ配送される。
【０００３】
また昨今では、電子書籍の流通も増えてきている。例えば、ユーザは、端末から電子書籍を販売するサイトへアクセスして電子書籍を購入（注文）し、これにより端末にダウンロードされた電子書籍を利用する。
【０００４】
例えば書籍と電子書籍の流通に関する先行技術例として以下がある。
【０００５】
特開２００４−１９２３６９号公報（特許文献１）（「電子書籍情報配信システム」）では、書籍の購入者や所有者のみが書籍に対応する内容の電子書籍情報の配信サービスを受けることができるシステムについて記載されている。特許文献１では、ユーザが書店などで書籍を購入して自宅に持ち帰った後、書籍に備える非接触ＩＣタグのＩＤをリーダで読み取り、当該ＩＤを会員ＩＤ情報及びパスワードと共に端末からサーバへ送信し、それらの情報の照合が行われ、これに応じて、当該書籍と同じ内容の電子書籍情報をサーバから端末へ配信することが記載されている。
【０００６】
特開２０００−１１３０４９号公報（特許文献２）（「本の購入証明を用いた電子書籍流通システム」等）では、本の購入と、電子書籍の利用との併用に関して例が記載されている。利用者は、本の購入時に、所有するＩＣカードに、書店端末から購入証明を取得し、また、電子書籍の申し込み時には、上記購入証明をシステムに送信し、システムは購入証明の有無によって利用者に対して電子書籍を供給する時のサービスを切り換えることが記載されている。
【０００７】
特開２００１−３０６６５４号公報（特許文献３）（「様々な形式の内容を出版するためのリポジトリ」）では、著者は出版するファイルや契約条件をシステムに提出すること、顧客は出版物を注文し契約条件に従ってその全体または一部を購入すること、及び、印刷または電子媒体等の出力形式を選択することができること、等について記載されている。
【先行技術文献】
【特許文献】
【０００８】
【特許文献１】特開２００４−１９２３６９号公報
【特許文献２】特開２０００−１１３０４９号公報
【特許文献３】特開２００１−３０６６５４号公報
【発明の概要】
【発明が解決しようとする課題】
【０００９】
書籍（印刷媒体）の流通に関して、例えばユーザがＥＣサイトで販売されている書籍を購入（注文）すると、当該書籍が配送業者によりユーザの手元（自宅など）に届くまでにある程度の時間がかかる。また配送の場合に限らず、例えば在庫切れの商品の注文の場合などには比較的長く時間がかかる。ユーザにとっては書籍を購入してすぐに読みたくても読むことができないため、不便である。
【００１０】
一方、電子書籍に関しては、例えばユーザがサイトで販売されている電子書籍を購入（注文）すると、当該電子書籍がダウンロード等によりユーザの手元の端末ですぐに利用可能となるめ、物（書籍）の配送の場合のような待ち時間が無く、ユーザにとっては便利である。
【００１１】
また、同様内容（例えば同じ文字や画像）に関して書籍と電子書籍との２種類の形態で商品の流通（販売・提供など）が行われる場合、従来のＥＣサイトや配送業者、電子書籍配信システムなどの各種システムでは、流通が別個のルートになるため、２種類の商品間でのタイムラグの問題が存在する。また、ユーザにとっては、上記２種類の商品を利用（例えば使い分け）したい場合、２種類の商品を別々に購入する手間や、金額的な不満などが生じ得る。
【００１２】
なお特許文献１等の先行技術例では、上述のタイムラグ等の問題に対する解決手段については考慮及び開示されてない。
【００１３】
以上を鑑み、本発明の主な目的は、書籍などの商品・コンテンツの流通に係わり、物（書籍など）と電子データ（電子書籍など）との両方の形態を効率的に共存させることにより、ユーザの利便性や、著者・出版社等の利益増大などを実現することができる技術を提供することである。
【課題を解決するための手段】
【００１４】
本発明の代表的な形態は、書籍、または映像や音楽のデータが記録された媒体、を含む物的な商品・コンテンツと、物的な商品と対応する同様の内容を持つ、電子書籍、または映像や音楽のデータ、を含む電子的な商品・コンテンツと、の２種類の形態（媒体）の商品・コンテンツの流通に関する情報処理を行う商品流通システムなどであって、以下に示す構成を有することを特徴とする。
【００１５】
本システムでは、物（第１の商品）の配送と、対応する電子データ（第２の商品）の配信とを連携して処理を行うことにより、ユーザに対して少なくとも第１の商品の配送の期間に、対応する第２の商品を利用可能に提供する制御を行う。
【００１６】
＜１＞  本システムは、例えば、ネットワークに接続される、物的な商品をユーザに対して販売しその注文状態を管理する処理を行う第１の処理部を含む第１のサーバと、電子的な商品をユーザに対して販売または提供するための管理の処理を行う第２の処理部を含む第２のサーバと、物的な商品をユーザに対して配送または受け渡し等するための管理の処理を行う第３の処理部を含む第３のサーバと、電子的な商品を利用する機能を備えるユーザの端末と、を有する。
【００１７】
本システムの動作・処理において、（１）ユーザにより第１のサーバに対して物的な第１の商品の発注が行われる処理と、（２）第１の商品の発注を受けて、第１のサーバから第３のサーバへ、第１の商品の配送の指示が行われ、かつ、第１のサーバから第２のサーバへ、第１の商品に対応する電子的な第２の商品の注文の指示が行われる処理と、（３）第２の商品の注文の指示を受けて、第２のサーバからユーザの端末に対して、当該ユーザによる当該第２の商品の利用が可能になる有効状態に制御する処理（例えばユーザが第２の商品を利用しようとする際に端末と第２のサーバとの間で第２の商品の有効性を確認し利用を制御する処理）と、（４）第１の商品の配送の指示を受けて、第３のサーバでの管理に基づき、配送業者などによりユーザへ第１の商品が配送または受け渡し等され、当該配送完了に伴う通知が第１のサーバへ送信される処理と、（５ａ）第１の商品の配送完了の通知を受けて、第１のサーバから第２のサーバへ連携し、第２のサーバからユーザの端末に対して、当該ユーザによる当該第２の商品の利用が不可能となる無効状態に制御する処理（例えばユーザが第２の商品を利用しようとする際に端末と第２のサーバとの間で第２の商品の有効性を確認し利用を制御する処理）と、を有する。
【００１８】
上記構成により、ユーザが第１の商品を受け取るまでの第１の期間では、ユーザの端末で第２の商品の利用が可能となり、ユーザが第１の商品を受け取った後の第２の期間では、ユーザの端末で第２の商品の利用が不可能となる。
【００１９】
＜２＞  本システムは、例えば、前記（１）〜（４）まで同じとし、続いて、（５ｂ）第１の商品の配送完了の通知を受けて、第１のサーバから第２のサーバへ連携し、第２のサーバからユーザの端末に対して、当該ユーザによる当該第２の商品の利用が可能となる有効状態に制御する処理を有する。上記構成により、ユーザが第１の商品を受け取るまでの第１の期間、及び、ユーザが第１の商品を受け取った後の所定期限内の第２の期間では、ユーザの端末で第２の商品の利用が可能となる。
【００２０】
＜３＞  本システムは、例えば、前記（１）〜（５ａ）まで同じとし、続いて、（６）第２の期間の後、ユーザが第１の商品を所定の業者に対して廃棄等した時点で、当該第１の商品に具備するタグの情報を当該業者のシステムに備えるタグリーダ機能によって読み取って所定の端末またはサーバで情報処理することにより、当該ユーザが当該第１の商品を廃棄等した事を確認する処理と、（７）業者の端末またはサーバから第１のサーバまたは第２のサーバに対して廃棄等の証明情報を送信することにより、ユーザが第１の商品の非所有状態となった事を確認する処理と、（８）確認を受けて、第２のサーバからユーザの端末に対して、当該ユーザによる当該第２の商品の利用が可能となる有効状態に制御する処理と、を有する。上記構成により、ユーザが第１の商品を廃棄等した後の第３の期間では、ユーザの端末で第２の商品の利用が可能となる。
【発明の効果】
【００２１】
本発明のうち代表的な形態によれば、書籍などの商品・コンテンツの流通に係わり、物（書籍など）と電子データ（電子書籍など）との両方の形態を効率的に共存させることにより、ユーザの利便性や、著者・出版社等の利益増大などを実現することができる。
【図面の簡単な説明】
【００２２】
【図１】本発明の各実施の形態（（ａ）実施の形態１，（ｂ）実施の形態２，（ｃ）実施の形態３）において、２種類の商品（書籍Ａ１，電子書籍Ａ２）の利用や制御に関する期間毎の状態を示す図である。
【図２】本発明の実施の形態１，２のシステム（書籍流通システム）の全体構成及び動作・処理の概要を示す図である。
【図３】本発明の実施の形態１，２のシステムのサーバや端末の構成及び管理情報の構成例などを示す図である。
【図４】本発明の実施の形態３のシステムの全体構成及び動作・処理の概要を示す図である。
【発明を実施するための形態】
【００２３】
以下、本発明の実施の形態を図面に基づいて詳細に説明する。なお、実施の形態を説明するための全図において、同一部には原則として同一符号を付し、その繰り返しの説明は省略する。
【００２４】
＜概要＞
本発明の各実施の形態のシステム（書籍流通システム）の概要などについて以下である。本発明及び実施の形態は、従来の問題を解決するため、書籍などの商品・コンテンツを対象として、配送などの時間を要する物の形態（例えば印刷媒体による書籍）と、配送などの時間を不要とする電子データの形態（例えば電子書籍）との２種類の形態で効率的に共存する流通を実現する。本システムでは、ユーザによる商品の購入・利用（著者・出版社等による商品の販売・提供）にあたり、物（書籍）の発注・配送と、電子データ（電子書籍）の配信とを連携処理することにより、上記効率的に共存する流通を実現する。本システムでは、前述のタイムラグ、例えば書籍の配送待ちの期間において、同じユーザ（当該ユーザの端末）に対し、当該書籍に対応した同様内容を持つ対応する電子書籍を、発注直後から即時に提供（配信）し利用可能とする制御を行う。
【００２５】
なお本実施の形態では、商品流通システムの例として特に主に書籍を対象としたシステム（書籍流通システム）を説明するが、書籍に限らず、同様の条件（前述のタイムラグが存在する等）に該当する商品・コンテンツであれば同様に適用することができる。説明上、同じ著者等により提供される同様内容を持つ対応する２種類の商品・コンテンツとして、書籍（第１の商品）をＡ１、電子書籍（第２の商品）をＡ２とする。「書籍」とは雑誌などを含む総称とする。
【００２６】
図１は、各実施の形態（（ａ）実施の形態１，（ｂ）実施の形態２，（ｃ）実施の形態３）における、２種類の商品（書籍Ａ１，電子書籍Ａ２）の利用や制御に関する、時間軸上の期間（Ｔ１〜Ｔ３）毎の状態をまとめて示している。例えば、○は、有効・利用可などの状態を示し、×は、無効・利用不可などの状態を示す。ｔ１は、書籍Ａ１の発注（図２のＳ１と対応）の時点を示す。ｔ２は、書籍Ａ１の配送完了（図２のＳ６−１と対応）の時点を示す。ｔ３は、書籍Ａ１の廃棄など（後述、実施の形態３）の時点を示す。
【００２７】
図１（ａ）に示すように、実施の形態１では、第１段階として、ＥＣサイト（図２の１）でユーザが書籍Ａ１を発注（ｔ１，図２のＳ１）してから、配送業者（図２の３）により配送されてユーザの手元に届くまで（ｔ２）の配送待ち（配送未完了）の期間Ｔ１において、書籍Ａ１に対応する内容の電子書籍Ａ２を、同ユーザが利用可（「有効」）となるように制御する仕組みである。書籍Ａ１の発注（ｔ１）の直後から、ユーザの端末（図２の２）への電子書籍Ａ２のダウンロード配信（図２のＳ３）により、ユーザは電子書籍Ａ２を利用する（読む）ことができる。
【００２８】
また、書籍Ａ１の配送完了（ｔ２，図２のＳ６−１）によりユーザが書籍Ａ１を受け取った後の期間Ｔ２においては、いくつかのパターンの制御（各実施の形態）が可能である。これらのパターンについては、例えば商品（Ａ１，Ａ２）を提供する著者・出版社等（図２の６）を含む関係者間での予めの契約や設定など（図２のＳ０）に応じて、選択的に適用可能である。
【００２９】
実施の形態１では、第２段階として、書籍Ａ１の配送完了の時点（ｔ２）から後の期間Ｔ２においては、書籍Ａ１に対応する電子書籍Ａ２を利用不可（「無効」）とするように制御する。この制御は、当該商品（Ａ１，Ａ２）の著作権などに配慮して行われる。この制御では、例えば、ＥＣサイト（１）側の処理（Ａ２の無効化）に基づいて、Ａ２の有効性（有効期限）を確認し（図２のＳ４）、ユーザの端末（２）においてＡ２データの利用が不可になるように処理される。実施の形態１では、ｔ１（Ａ１発注）からｔ２（Ａ１配送完了）までの期間Ｔ１がＡ２の有効期限に相当する。
【００３０】
図１（ｂ）に示すように、実施の形態２では、第１段階として、ユーザが書籍Ａ１を受け取るまでの期間Ｔ１では、実施の形態１と同様に対応する電子書籍Ａ２を利用可（「有効」）に制御する。次に第２段階として、Ａ１配送完了の時点（ｔ２）から後の期間Ｔ２では、実施の形態１とは異なり、期間Ｔ１に続けて、Ａ１と共にＡ２の方も利用可（「有効」）に制御し、即ち２種類の形態（Ａ１，Ａ２）の併用を可能とする。実施の形態２では、ｔ１からｔ２の後の所定期限（著作権や設定などに基づく期限）までが、Ａ２の基本的な有効期限に相当する（期間Ｔ２では所定期限内という条件でＡ２が有効となる）。この制御では、例えば、ＥＣサイト（１）側の処理（Ａ２の有効化）に基づいて、ユーザの端末（２）でＡ２データの利用が基本的に可になるように処理される。ただし実施の形態２では、ユーザの端末（２）で電子書籍Ａ２を利用しようとする際に、当該ユーザが当該電子書籍Ａ２に対応する書籍Ａ１を所有しているかどうかを本システム（当該ユーザ以外）により確認（Ａ１所有確認）し、当該確認が正しくできた条件で、上記Ａ２の利用が可になるようにする。
【００３１】
この制御のため、実施の形態２では、ユーザの端末（２）に備える書籍タグリーダ機能（図３の２１）を用いて、書籍Ａ１に具備するタグ５の情報（ＩＤを含む）を読み取って情報処理することにより上記Ａ１所有確認を行う。これにより、上記Ａ１の所有を確認できた場合は、ユーザの端末（２）の電子書籍リーダ機能（図３の２２）において電子書籍Ａ２データが利用可に処理される。上記Ａ１の所有が確認できなかった場合は、Ａ２データが利用不可に処理される。
【００３２】
図１（ｃ）に示すように、実施の形態３では、実施の形態１の期間Ｔ１，Ｔ２の制御に加えて更に、第３段階として、ユーザが書籍Ａ１を業者に対して廃棄などした時点（ｔ３）から後の期間Ｔ３（所定期限内）において、当該廃棄などの証明・確認（Ａ１非所有確認）に基づき、当該ユーザが当該書籍Ａ１に対応する内容の電子書籍Ａ２を利用可（「有効」）になるように制御する。例えば、ユーザは書籍Ａ１を廃棄業者等（図４の７）に対して引き渡す（廃棄依頼する）。この制御では、上記廃棄した事によりユーザがＡ１を所有していない状態になった事を、上記業者（７）との連携を通じて、本システム（当該ユーザ以外）により把握・確認した上で、上記電子書籍Ａ２データをユーザの端末２で利用可になるようにする。
【００３３】
上記各実施の形態１〜３により、例えば、ユーザは、最初、書籍Ａ１を注文してから書籍Ａ１が届くまで（Ｔ１）は、対応する内容の電子書籍Ａ２を読むことができ、書籍Ａ１が届いた後（Ｔ２）は、実施の形態１，３では書籍Ａ１のみ読むことができ、実施の形態２では両方（Ａ１，Ａ２）を読むことができる。更に実施の形態３のように、書籍Ａ１を廃棄等した場合（Ｔ３）には、ユーザは書籍Ａ１を所有せずに電子書籍Ａ２を残して読むことができる。
【００３４】
＜実施の形態１＞
図１（ａ），図２，図３を用いて、実施の形態１のシステムについて詳細に説明する。図２は、実施の形態１のシステムの全体構成、及び動作・処理の概要などを示している。図３は、実施の形態１のシステムの各サーバや端末の構成、及び管理情報の構成例などを示している。なお図２，図３では、実施の形態２の構成要素も併せて示している。
【００３５】
［システム構成］
図２，図３において、インターネットや専用網等のネットワーク９０上、ＥＣサイト１、ユーザの端末２、配送業者システム３、などが接続される構成である。また必要に応じて、著者・出版社等６（商品・コンテンツ提供者）のシステムがＥＣサイト１などに対して接続されてもよい。
【００３６】
ＥＣサイト１は、注文状態管理部１１、電子コンテンツ管理部１２などを有する。これらの処理部は、例えばサーバ及びデータベース（ＤＢ）等の公知技術により構成される。図２，図３は、サーバ＃１，＃２により構成される場合である。図３の注文状態管理部１１（サーバ＃１）は、書籍ステータス処理部１０１を有し、注文状態管理ＤＢ１５１を管理・読み書きする。注文状態管理ＤＢ１５１は、図示する書籍（Ａ１）管理情報を含む。図３の電子コンテンツ管理部１２（サーバ＃２）は、電子書籍ステータス処理部１０２を有し、電子コンテンツ管理ＤＢ１５２を管理・読み書きする。電子コンテンツ管理ＤＢ１５２は、図示する電子書籍（Ａ２）管理情報、及び電子書籍（Ａ２）データ（ＤＲＭ付き）を含む。
【００３７】
ＥＣサイト１では、著者・出版社等６から提供される書籍４（Ａ１）を含む商品・コンテンツを販売する。特に、書籍Ａ１とそれに対応する内容を持つ電子書籍Ａ２との両方をセットで販売・提供する。当該商品（Ａ１，Ａ２）の価格などについては予め著者・出版社等６を含む関係者間で設定等（Ｓ０）が可能である。なお、同じ著者・出版社等６が提供する対応するＡ１とＡ２の内容は、文字や画像などの主たる情報が同一であることを基本とするが、各媒体（形態）の特性に応じた違いは当然ながら許容される。例えば電子書籍Ａ２のハイパーリンク機能や注釈機能やしおり機能などがある場合は許容される。
【００３８】
配送業者システム３は、配送業者の情報処理システムであり、配送状態管理部３１（サーバ＃３）を有する。配送状態管理部３１（サーバ＃３）は、ＥＣサイト１からの注文・発送処理（Ｓ２−１）を受け付け、配送者による書籍４などの各商品の配送状態を管理する処理を行う。配送状態管理部３１（サーバ＃３）では、配送物に関するユーザ情報などを含む各種情報が管理されている（公知技術）。
【００３９】
配送される書籍４（Ａ１）には、いずれかの箇所にタグ５（ＲＦＩＤタグ、非接触ＩＣタグ）が具備（貼り付けや埋め込み等）されている。タグ５には、少なくともＩＤ情報が含まれており、対応するタグリーダ機能により読み取り可能となっている（公知技術）。例えばユーザの端末２は当該タグ５に対応する書籍タグリーダ機能２１を備える。また他のシステムや装置に備える同様のタグリーダ機能によっても読み取り可能である。これらタグ５及びタグリーダ機能などの詳しい仕様については特に限定されない。例えば既存のバーコード方式などを利用してもよい。
【００４０】
ユーザの端末２は、ネットワーク通信機能２４、ＥＣ機能２３、電子書籍リーダ機能２２（電子書籍利用機能）、書籍タグリーダ機能２１、などを備える情報処理端末装置であり、例えば、携帯電話機やＰＣ、電子書籍専用端末など、各種の形態が可能である。端末２の他の機能や仕様は特に限定されない。端末２の各機能（２１〜２４）は、例えばプロセッサ、メモリ等を含む回路（ハードウェア）におけるソフトウェアプログラム処理などによって実現される。
【００４１】
ネットワーク通信機能２４は、ネットワーク９０を介して、ＥＣサイト１の各サーバ（＃１，＃２）等との通信処理を行う一般的な機能である。ＥＣ機能２３は、端末２でのユーザ操作に基づき、ＥＣサイト１（Ｗｅｂページ等）にアクセスして情報を表示（閲覧）し、ユーザの所望の商品（Ａ１，Ａ２）の発注（購入注文）やそれに基づく決済処理などを行うための一般的な機能である。
【００４２】
電子書籍リーダ機能２２は、端末２で所定の形式の電子書籍Ａ２（そのデータ）を利用するための機能であり、サーバ＃２との間の確認などの処理機能を含むとする。電子書籍リーダ機能２２は、例えば、サーバ＃２からダウンロード（Ｓ３）される電子書籍Ａ２データ（ＤＲＭ付き）を端末２内に格納し、ＤＲＭ情報に従って必要な保護処理などを行いながら、端末２の画面で電子書籍Ａ２の内容を表示する処理などを行う。電子書籍Ａ２（サーバ＃２及び電子書籍リーダ機能２２等）に関しては、所定のＤＲＭ（Digital Rights Management）等により、著作権等に基づく保護（例えば不正コピー等の不正利用の防止）の機構を備えている（公知技術）。電子書籍（Ａ２）及びＤＲＭ等の形式については特に限定されない。
【００４３】
書籍タグリーダ機能２１は、特に実施の形態２で使用するが、書籍４（Ａ１）のタグ５に記録されている情報をタグ５への近接（電磁誘導等）により読み取る処理を行う（公知技術）。書籍タグリーダ機能２１は、読み取ったＩＤを含む情報を処理する機能を含むとする。
【００４４】
注文状態管理部１１（サーバ＃１）は、書籍Ａ１を含む各商品群に関する注文状態を管理する処理を行う。注文状態管理部１１（サーバ＃１）は、ユーザからの商品（特にＡ１）の発注（Ｓ１）を受け付け、当該発注を受けると、注文状態管理ＤＢ１５１の情報を処理すると共に、他のサーバ＃２，＃３と連携処理を行う（Ｓ２−１，Ｓ２−２）。
【００４５】
電子コンテンツ管理部１２（サーバ＃２）は、電子書籍Ａ２を含む各電子コンテンツ群に関する情報及びデータを管理する処理を行う。電子コンテンツ管理部１２（サーバ＃２）は、サーバ＃１からの連携（指示等）を受け付け、これに基づき、電子コンテンツ管理ＤＢ１５２の情報を処理すると共に、ユーザの端末２との間での処理（Ｓ３，Ｓ４等）を行う。
【００４６】
なおＥＣサイト１の構成要素（１１，１２）は、別個のシステムとして構成されてもよい。例えば電子コンテンツ管理部１２が電子コンテンツ管理システム（サイト）として構成され、ＥＣサイト１（サーバ＃１）や著者・出版社等６のシステム等との間で通信・連携処理が行われてもよい。
【００４７】
また、対象の商品・コンテンツが例えば映像または音楽である場合、物的な第１の商品（Ａ１）は、映像または音楽のデータが記録されたＤＶＤやＣＤ等の媒体であり、電子的な第２の商品（Ａ２）は、映像データまたは音楽データである。
【００４８】
［管理情報］
図３において、本システムの各管理ＤＢ（１５１，１５２）の管理情報の構成例について説明する。本実施の形態では、書籍４（Ａ１）のタグ５のＩＤ情報（タグＩＤ）を、書籍Ａ１のＩＤ（書籍ＩＤ）等の他のＩＤとの関連付けで使用する（概略的にはタグＩＤ≒書籍ＩＤと捉えてもよい）。例えば、タグＩＤ、書籍（Ａ１）ＩＤ、電子書籍（Ａ２）ＩＤ、商品（Ａ１，Ａ２）の共通ＩＤ、などを関連付けで管理する。
【００４９】
図３の注文状態管理ＤＢ１５１の書籍（Ａ１）管理情報の構成例において、管理情報項目として例えば、「書籍（Ａ１）ＩＤ」、「商品ＩＤ」、「ユーザＩＤ」、「権利情報」、「Ａ１ステータス」などを有する。「書籍（Ａ１）ＩＤ」は、例えばタグ５のＩＤ（タグＩＤ）との関連付けである。「商品ＩＤ」は、同じ著者・出版社等６による対応する内容を持つ２種類の形態の商品（Ａ１，Ａ２）に関する統合的な管理のための共通ＩＤである。なお「商品ＩＤ」ではなく「著者ＩＤ」等でもよい。ユーザＩＤは、当該書籍（Ａ１）を購入したユーザのＩＤであり、ＥＣや配送の管理情報の１つである。「権利情報」は、当該書籍Ａ１の著者・出版社等６の著作権を含む権利関係の管理情報である。「Ａ１ステータス」は、書籍ステータス処理部１０１により処理される、書籍Ａ１のステータス情報であり、例えば「配送未完了」、「配送完了」等の値を有する。
【００５０】
図３の電子コンテンツ管理ＤＢ１５２の電子書籍（Ａ２）管理情報の構成例において、管理情報項目として例えば、「電子書籍（Ａ２）ＩＤ」、「商品ＩＤ」、「ユーザＩＤ」、「権利情報」、「ＤＲＭ情報」、「Ａ２ステータス」などを有する。「電子書籍（Ａ２）ＩＤ」は、例えば「書籍（Ａ１）ＩＤ」や「商品ＩＤ」との関連付けである。「商品ＩＤ」は、対応する書籍Ａ１の「商品ＩＤ」と同じ値である。ユーザＩＤは、対応する書籍Ａ１の「ユーザＩＤ」と同様の情報である。「権利情報」は、当該電子書籍Ａ２の著者・出版社等６の著作権を含む権利関係の管理情報である（前記Ａ１に関する「権利情報」とまとめてもよい）。「ＤＲＭ情報」は、電子書籍（Ａ２）データに付属するＤＲＭ情報（例えば不正コピー防止用の制御情報など）であり、前記「権利情報」にまとめてもよいし、電子書籍（Ａ２）データ内に記述されていてもよい。「Ａ２ステータス」は、電子書籍ステータス処理部１０２により処理される、電子書籍Ａ２のステータス情報であり、例えば「有効」（利用可）、「無効」（利用不可）、等の値を有する。
【００５１】
上記「権利情報」等の管理情報には、商品（Ａ１，Ａ２）の販売・提供に関する関係者間の予めの契約や設定の情報を含んでもよい。例えば、各実施の形態の制御パターンの選択、価格や無料サービス、有効期限や各種制御条件、などの設定が可能である。
【００５２】
［動作・処理］
図２に基づき、本システムの各要素間における動作・処理について以下説明する。実施の形態１で全体は概ねＳ０〜Ｓ７等に示す順序となる（Ｓは動作・処理のステップを表す）。なおＳ８は実施の形態２で説明する。
【００５３】
（Ｓ０：登録）  Ｓ０では、著者・出版社等６が、ＥＣサイト１（１１，１２）に対して、販売・提供の対象とする商品・コンテンツである書籍Ａ１，電子書籍Ａ２、及びその管理用の情報を登録する。これにより、ＥＣサイト１で書籍Ａ１，電子書籍Ａ２を販売する。
【００５４】
Ｓ０では、著者・出版社等６を含む関係者間における予めの契約や設定などに基づき、各種の形での登録が可能である。例えば、Ａ１とＡ２のセットの価格（例えばＡ１単体価格とＡ２単体価格との合計よりも低価格）での販売の形が可能である。あるいは、Ａ１の購入により無料サービスやオプションでＡ２を提供する形などが可能である。
【００５５】
（Ｓ１：Ａ１発注）  Ｓ１では、ユーザが、ＥＣサイト１（サーバ＃１）に対して、書籍Ａ１の発注（購入注文）を行う。この手段は任意である。特にユーザは自身の端末２のＥＣ機能２３によりＥＣサイト１を閲覧して書籍Ａ１を注文する。
【００５６】
（Ｓ２（Ｓ２−１，Ｓ２−２））  Ｓ２では、ＥＣサイト１（１１，１２）は、書籍Ａ１の発注（Ｓ１）を受けるとすぐに、当該書籍Ａ１に対応する電子書籍Ａ２を、同ユーザの端末２に対して提供し利用可能とする。Ｓ１を受けて、注文状態管理部１１（サーバ＃１）は、連携処理として、配送業者システム３（配送状態管理部３１（サーバ＃３））に対する書籍Ａ１の注文・発送処理（Ｓ２−１）と、電子コンテンツ管理部１２（サーバ＃２）に対する書籍Ａ１に対応した電子書籍Ａ２の注文処理（Ｓ２−２）と、を行う。例えば、サーバ＃１の書籍ステータス処理部１０１は、Ａ１ステータスを「配送未完了」としておく。
【００５７】
（Ｓ３：Ａ２データのダウンロード）  Ｓ３では、Ｓ２−２を受けて、電子コンテンツ管理部１２（サーバ＃２）からユーザの端末２（電子書籍リーダ機能２２）に対して、書籍Ａ１に対応する電子書籍Ａ２データ（ＤＲＭ付き）を、ダウンロード配信により提供し、利用可能にする。例えば、サーバ＃２の電子書籍ステータス処理部１０２は、Ａ１ステータスが「配送未完了」の間は、Ａ２ステータスを「有効」にしておく。
【００５８】
Ｓ３では、特に、サーバ＃２からユーザの端末２に配信されたＡ２データ（ＤＲＭ付き）を端末２内に格納し、ユーザは端末２に備える電子書籍リーダ機能２２により当該電子書籍Ａ２を利用する（読む）ことができる。Ｓ３のＡ２データの提供は、Ｓ１で端末２からのＡ１購入の場合は、Ａ１購入と共に自動的に実行してもよいし、Ｓ１の少し後であらためてユーザの端末２からサーバ＃２にアクセスして実行してもよい。
【００５９】
（Ｓ４：Ａ２有効性確認）  Ｓ４では、ユーザの端末２（電子書籍リーダ機能２２）と電子コンテンツ管理部１２（サーバ＃２）との間で、電子書籍Ａ２の有効性（有効期限）の確認の処理を行う。即ち、Ａ２ステータスが「有効」（有効期限内）か「無効」（有効期限切れ）かを確認する処理を行う。Ａ２の「有効」が確認できた場合は、端末２でＡ２が利用可になる。Ｓ４の処理のタイミングは、例えばＡ２利用毎としてもよいし、所定の定期的な実行としてもよい。
【００６０】
Ｓ４に関しては、特に、ユーザによる端末２（電子書籍リーダ機能２２）での電子書籍Ａ２の利用の際に、例えば自動的に、端末２（２２）とサーバ＃２との間で、Ａ２ステータス（「有効」／「無効」）を確認する処理を行い、この結果に応じて、端末２（２２）でＡ２データの利用可／不可に応じた処理を行う。前述（図１（ａ））のように実施の形態１では期間Ｔ１ではＡ２ステータスが「有効」となるため、ユーザはＡ２を利用可となる。
【００６１】
（Ｓ５：配送）  一方、Ｓ５では、Ｓ２−１を受けて、配送業者システム３の配送状態管理部３１（サーバ＃３）での管理に基づいて、配送者により書籍４（Ａ１）がユーザの自宅などへ配送される。配送状況については、配送者と配送業者システム３との間の通信に基づき、配送状態管理部３１で情報が管理されている。
【００６２】
（Ｓ６（Ｓ６−１，Ｓ６−２））  Ｓ６−１では、Ｓ５の配送が完了し、ユーザは配送者から書籍Ａ１を受け取る。Ｓ６−１に基づき、Ｓ６−２では、配送状態管理部３１（サーバ＃３）から注文状態管理部１１（サーバ＃１）へ配送完了通知が送信され、サーバ＃１に情報が記録される。これによりサーバ＃１の書籍ステータス処理部１０１は、当該書籍Ａ１のステータスを「配送未完了」から「配送完了」に更新する。
【００６３】
Ｓ６−１の配送完了については、配送業者システム３との連携により自動的にＥＣサイト１側でも把握がされ、ユーザによる手続きは特に必要無い。
【００６４】
（Ｓ７）  Ｓ７では、Ｓ６−２を受けて、注文状態管理部１１（サーバ＃１）から電子コンテンツ管理部１２（サーバ＃２）へ、書籍Ａ１の「配送完了」（電子書籍Ａ２の有効期限切れ）の連携処理を行う。即ち、実施の形態１の図１（ａ）の期間Ｔ２での制御として、サーバ＃１の書籍ステータス処理部１０１とサーバ＃２の電子書籍ステータス処理部１０２で、書籍Ａ１の「配送完了」による電子書籍Ａ２の無効化の処理・制御を行う。例えば、サーバ＃１からＡ１ステータス「配送完了」に応じたＡ２有効期限切れ（無効化）の指示等がサーバ＃２へ行われ、それに基づき、サーバ＃２の電子書籍ステータス処理部１０２は、当該Ａ１に対応するＡ２のステータスを「有効」から「無効」に更新する処理を行う。このようにＡ２ステータスを「無効」にしておくことにより、期間Ｔ２では当該ユーザによるＡ２の利用が不可になる。
【００６５】
（Ｓ４’）  前記Ｓ４は図１（ａ）の期間Ｔ１でのＡ２有効性確認を示し、Ｓ４’は期間Ｔ２でのＡ２有効性確認を示す（基本的には同様の処理）。期間Ｔ２での制御において、ユーザによる電子書籍Ａ２の利用を不可にする「無効」状態に制御する。このために、前記Ｓ４と同様に、ユーザが端末２（電子書籍リーダ機能２２）で電子書籍Ａ２を利用する（読む）際などに、端末２（２２）とサーバ＃２との間で、Ａ２の有効性を確認する処理を行う。この確認で、実施の形態１では期間Ｔ２ではＡ２ステータスが「無効」なので、端末２（２２）でＡ２データが利用不可（例えば閲覧不可）に処理される。
【００６６】
Ｓ４’で電子書籍Ａ２を利用不可に制御する処理例としては、端末２の電子書籍リーダ機能２２、あるいはサーバ＃２から端末２へのアクセスによる処理において、前記Ｓ３で端末２に取得済みのＡ２データを無効化（閲覧不可に設定する、あるいはデータ削除する等）する処理などがある。
【００６７】
Ｓ４’の処理に関しては、例えば一旦Ｓ７直後の時点などでサーバ＃２から端末２へ通信して上記確認処理及びＡ２データを無効化する処理などを行うことにより、Ｓ４’の毎回のサーバ＃２との通信・確認処理を省略してもよい。例えば、端末２内（電子書籍リーダ機能２２及び保持Ａ２データ）に、当該Ａ２の利用制御用の情報を格納しておき、Ａ２利用の際に当該情報を参照することにより、Ａ２の有効性が確認できるようにする等。
【００６８】
［効果（１）］
実施の形態１の効果として、図１（ａ）のように書籍Ａ１と電子書籍Ａ２との両方の形態を効率的に共存させることにより、ユーザの利便性や、著者・出版社等６の利益増大などを実現することができる。ユーザは、物的な商品（書籍Ａ１）を受け取るまでの待ち時間（前述のタイムラグ）において、対応する電子コンテンツ（電子書籍Ａ２）を利用することができるので、従来の不満などが解消される。例えば在庫切れ商品の場合など、比較的時間が長くかかる場合にも有用である。一方、著者・出版社等６の側は、物（書籍Ａ１）と電子コンテンツ（電子書籍Ａ２）との両方を例えばセットで販売・提供することができるので、ユーザが２種類の商品を別途に購入する必要が無いなど、ユーザの満足を高め、利益増大などの可能性がある。
【００６９】
＜実施の形態２＞
次に、図１（ｂ），図２，図３を用いて、実施の形態２のシステムについて説明する。実施の形態２のシステムでは、前述、図１（ｂ）に示すように、第２の期間Ｔ２では、Ａ１所有確認の上で、Ａ１と共にＡ２を利用可（「有効」）に制御する。
【００７０】
図２において、実施の形態２における実施の形態１とは異なる動作・処理について説明する。Ｓ０〜Ｓ６は実施の形態１と概略同様である。
【００７１】
（Ｓ７）  Ｓ７では、Ｓ６−２の配送完了通知を受けて、注文状態管理部１１（サーバ＃１）から電子コンテンツ管理部１２（サーバ＃２）へ、書籍Ａ１の「配送完了」の連携処理を行う。ここで実施の形態２では、図１（ｂ）の第２の期間Ｔ２での制御として、書籍Ａ１のステータス「配送完了」に対し、電子書籍Ａ２の無効化は行わずにＡ２ステータスを継続して「有効」とする。例えば、サーバ＃２の電子書籍ステータス処理部１０２は、当該Ａ１に対応するＡ２のステータスを所定期限内の条件で「有効」とする。これにより、期間Ｔ２の所定期限までは、Ａ１所有確認（Ｓ７）の上で、当該ユーザによるＡ２の利用が可になる。
【００７２】
（Ｓ４’）  実施の形態２のＳ４’は、図１（ｂ）の期間Ｔ２でのＡ２有効性確認を示すが、実施の形態１と同様の処理になる。この際、実施の形態２では期間Ｔ２でＡ２ステータスが「有効」なので、端末２（電子書籍リーダ機能２２）でＡ２データが利用可（例えば閲覧可）に処理される。またここでは端末２とサーバ＃２との間で通信して確認を行う必要は特に無い（下記Ｓ８の確認が存在するため）。
【００７３】
（Ｓ８：Ａ１所有確認）  Ｓ８では、期間Ｔ２において、Ａ１所有確認に基づくＡ２利用制御の動作・処理を行う。本実施の形態では、ユーザにより端末２（電子書籍リーダ機能２２）で電子書籍Ａ２を利用しようとする際、ユーザ操作に基づき端末２の書籍タグリーダ機能２１により書籍Ａ１のタグ５のＩＤ等の情報を読み取って処理することにより、当該ユーザによるＡ１所有状態を確認する。Ａ１所有確認の結果、当該ユーザがＡ１を所有している状態を正しく確認できた場合は、端末２（２２）でＡ２データが利用可に処理され、確認できなかった場合は、Ａ２データが利用不可に処理される。上記確認処理の際は、例えば、予め端末２に保持される正しいＩＤ情報と、タグ５からの読み取り情報とを比較して判断がされる。
【００７４】
またＳ８のＡ１所有確認（Ａ２を有効にする条件）については、Ａ２利用毎に毎回必ず実行する形に限らず、例えばＡ２利用よりも前に予めＡ１所有確認を済ませておくことによりその後一定時間（あるいは一定利用回数など）までは自動的にＡ２を利用可になるように制御する形としてもよい。例えば１日１回、１週間１回など、定期的に確認する形である。この場合はユーザの手間が低減できる。
【００７５】
上記処理例としては、確認の際に書籍４（Ａ１）のタグ５の情報を端末２内に読み込んで、Ａ１所有状態などを示す制御情報を記憶しておく。その後、ユーザによるＡ２利用時には、上記格納情報を参照することで、即時に有効性を判断できる。また特に、ユーザが書籍Ａ１を自宅に置いて端末２を所持して外出時に電子書籍Ａ２を利用するといった場面では、端末２の書籍タグリーダ機能２１によって書籍Ａ１の所有（所持）を確認することはできないから、上記のような制御形態が有用である。
【００７６】
［効果（２）］
実施の形態２の効果として、図１（ｂ）のようにＡ１配送完了の後の期間Ｔ２では、２種類の形態（Ａ１，Ａ２）で利用可となるため、ユーザにとっては便利である。例えばフェアユースの範囲内で、Ａ１を子供が利用し、Ａ２を親が利用するといった様々な利用が可能である。
【００７７】
従来のシステムでは、電子書籍の提供の際に、対応する書籍（物）の購入や所有の確認などは行われていない。そのため例えばユーザが同様内容の書籍と電子書籍を別個に購入するといった事態になっていた。実施の形態２では、書籍Ａ１の所有確認の上で電子書籍Ａ２を提供する仕組みであり、同様内容の書籍Ａ１と電子書籍Ａ２を一緒に購入して併用することができる。
【００７８】
＜実施の形態３＞
次に、図１（ｃ），図４を用いて、実施の形態３のシステムについて説明する。実施の形態３では、前述、図１（ｃ）に示すように、ユーザが書籍Ａ１を廃棄等した時点（ｔ３）の後の第３の期間Ｔ３では、ユーザの書籍Ａ１の廃棄等の証明・確認（Ａ１非所有確認）に基づき、当該ユーザが当該書籍Ａ１の代わりに対応する内容の電子書籍Ａ２を利用可（「有効」）になるように制御する。本実施の形態では廃棄業者に対する廃棄依頼の例で説明する。
【００７９】
図４は、実施の形態３のシステムを示す。廃棄業者システム７は、店舗などの設備において、書籍タグリーダ機能７１と、廃棄状態管理部７２（端末／サーバ）とを備える。廃棄状態管理部７２は、店舗に備える端末やネットワーク９０上のサーバ及びＤＢなどにより構成され、既存の装置に機能を付加することでも構成可能である。
【００８０】
図４で、期間Ｔ３での動作・処理例について説明する。
【００８１】
（Ｓ１１：Ａ１廃棄（Ａ１非所有）確認）  Ｓ１１では、ユーザは自分の書籍４（Ａ１）を、業者の店舗（廃棄業者システム７）などで廃棄依頼する（なお業者への書籍Ａ１郵送による依頼などでもよい）。この際、店舗の設備（廃棄業者システム７）に備える書籍タグリーダ機能７１を用いて、書籍４（Ａ１）のタグ５の情報を読み取って処理することにより、Ａ１を廃棄した事によりユーザがＡ１を所有していない状態になった事（Ａ１廃棄≒Ａ１非所有）の確認処理を行う。
【００８２】
（Ｓ１２：廃棄証明情報）  廃棄業者システム７の廃棄状態管理部７２（端末／サーバ）は、各書籍の廃棄状態を含む状態を管理する処理を行っている。廃棄状態管理部７２は、書籍タグリーダ機能７１で読み取って処理した情報をもとに、ユーザの書籍Ａ１の廃棄を認識すると、Ｓ１２で、ＥＣサイト１との連携処理として、Ａ１の廃棄の確認（証明）の情報を送信する。例えば廃棄状態管理部７２からネットワーク９０を介して注文状態管理部（サーバ＃１）へ情報を通知して当該サーバ＃１に情報を記録する。これによりＥＣサイト１はユーザのＡ１非所有状態を認識する。例えば、サーバ＃１は書籍Ａ１のステータスを「廃棄済み」に更新する。
【００８３】
（Ｓ１３：連携）  そして上記Ａ１「廃棄済み」に伴い、Ｓ１３の連携処理では、電子コンテンツ管理部１２（サーバ＃２）は、対応する電子書籍Ａ２のステータスを「無効」から「有効」に更新する。なおＳ１２，Ｓ１３では、例えば廃棄状態管理部７２からサーバ＃２への連携処理としてもよい。
【００８４】
（Ｓ１４：Ａ２データのダウンロード）  Ｓ１３に基づき、Ｓ１４では、前記Ｓ３と同様に、サーバ＃２からユーザの端末２へ、対応する電子書籍Ａ２データをダウンロード配信などにより提供し、端末２（電子書籍リーダ機能２２）で利用可とする。あるいは、期間Ｔ１で提供済みで期間Ｔ２で無効化済みのＡ２データが端末２内に存在する場合はそれを有効化する制御を実行してもよい。
【００８５】
これにより、ユーザは、期間Ｔ３で所定期限内の条件で電子書籍Ａ２の利用が可能となる。その後、ユーザが端末２でＡ２を利用する際には、前記Ｓ４’と同様にＡ２有効性確認により同様に制御する。
【００８６】
廃棄業者以外の場合のシステムも同様に実現可能である。
【００８７】
［効果（３）］
実施の形態３の効果として、図１（ｃ）のように、期間Ｔ３では電子書籍Ａ２のみ利用可となるため、例えばユーザが書籍Ａ１を自宅に保有したくない場合に代わりに電子書籍Ａ２の形態で保有・利用することができる。
【００８８】
実施の形態１，３では、２種類（Ａ１，Ａ２）の共存の形として、ユーザは時間軸上で一方のみが利用可能となる。
【００８９】
なお、上述した実施の形態３の制御に関連して、実施の形態２で、図１（ｂ）の期間Ｔ３に示すように、併用可能な商品（Ａ１，Ａ２）に関して、ユーザが書籍Ａ１を中古業者に対して売却した場合、前記Ｓ８のＡ１所有確認が成立しないため、自動的に電子書籍Ａ２は利用不可（無効）になる。ここで更に、著作権保護などの観点に基づき、Ａ１売却の時点で、Ｓ１１と同様のＡ１非所有確認に基づいて、対応する電子書籍Ａ２を明示的に利用不可（無効）になるように制御してもよい。例えばサーバ＃１，＃２の連携処理でＡ１ステータスの「売却済み」に伴いＡ２ステータスを「有効」から「無効」に更新する。
【００９０】
＜他の実施の形態＞
他の実施の形態として例えば以下が可能である。
【００９１】
実施の形態１等で、ＥＣサイト１及び配送業者システム３は、ユーザが書籍Ａ１を注文して受け取るまでの間に介在する他のシステムであってもよい。即ち、前述のタイムラグに係わるシステムであれば、同様に適用可能である。例えば、出版取次システム、実書店システムなどが挙げられる。例えばユーザが実書店に赴いて書籍（例えば店頭在庫が無い書籍）を注文し、その後受け取りまで待つ場合である。この場合も例えば書店の装置を通じて注文や受け渡しに関する処理を行い、書籍Ａ１の注文に伴い電子書籍Ａ２をユーザの端末２へ提供し、書籍Ａ１の受け渡しに伴いユーザの端末２の電子書籍Ａ２を利用不可にする、といったように実現可能である。
【００９２】
また、書籍Ａ１の配送完了の確認ができた時点（ｔ２）ですぐに電子書籍Ａ２を「無効」に制御する形に限らず、当該確認時点（ｔ２）からの所定期間後（あるいは所定回数利用後など）までは猶予としてＡ２を「有効」に制御する形としてもよい。対応して前述の有効期限を適宜設定可能とする（Ｓ０）。
【００９３】
また、前記Ｓ３では、端末２側に電子書籍Ａ２データ（全部）を格納して処理する形としたが、変形例として、基本的にサーバ＃２側にＡ２データ（全部）を保持する形とし、ユーザによるＡ２利用（閲覧等）の際に必要な一部データのみをサーバ＃２から端末２へ送信して端末２（電子書籍リーダ機能２２）で処理する形としてもよい。
【００９４】
実施の形態２で、Ａ１所有確認（Ｓ８）については、端末２の書籍タグリーダ機能２１を用いる形としたが、他の手段で実現してもよい。例えばユーザの自宅などに備える装置、例えば本棚などにおいて、同様の書籍タグリーダ機能などを備えてもよい。当該本棚に格納される書籍Ａ１のタグ５を当該書籍タグリーダ機能で読み取って情報処理することにより、書籍Ａ１の所有（所在）の確認（及びその結果に基づくＡ２利用制御）などができる。この場合、確認の自動化によりユーザの手間を低減できる。
【００９５】
また、期間Ｔ２の制御は、ユーザが書籍Ａ１を所有している間に対応する電子書籍Ａ２を利用可能に貸し出すサービス（システム）に近いものと捉えることができる。
【００９６】
実施の形態３で、書籍４の状態管理に係わる専用サーバ及びそのシステムを、ＥＣサイト１や廃棄業者（７）等とは独立して設けて、ＥＣサイト１等と連携処理する形としてもよい。専用サーバに、対象の書籍４のタグ５の情報及び各ステータス情報などの管理情報を登録・管理する仕組みとする。そして前述のように、書籍Ａ１の廃棄等に伴い、専用サーバの持つステータス情報などを更新し、これに応じてＡ２の利用を制御する。
【００９７】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００９８】
本発明は、書籍・雑誌・ＣＤ・ＤＶＤ等の各種の形態（媒体）の商品・コンテンツの流通システムに利用可能である。
【符号の説明】
【００９９】
１…ＥＣサイト、２…端末、３…配送業者システム、４…書籍（Ａ１）、５…タグ、６…著者・出版社等（商品・コンテンツ提供者）、７…廃棄業者システム、１１…注文状態管理部（サーバ＃１）、１２…電子コンテンツ管理部（サーバ＃２）、２１…書籍タグリーダ機能、２２…電子書籍リーダ機能、２３…ＥＣ機能、２４…ネットワーク通信機能、３１…配送状態管理部（サーバ＃３）、７１…書籍タグリーダ機能、７２…廃棄状態管理部、９０…ネットワーク、１０１…書籍ステータス処理部、１０２…電子書籍ステータス処理部、１５１…注文状態管理ＤＢ、１５２…電子コンテンツ管理ＤＢ。
【図１】
2012150540.tif 000003
【図２】
2012150540.tif 000004
【図３】
2012150540.tif 000005
【図４】
2012150540.tif 000006